(57)【要約】【課題】複数の金融機関の入出金明細を、作業性よく家計簿に取り込む。【解決手段】アグリゲーション用のウェブサーバが提供するウェブサイトには、銀行明細、カード明細、利用料金明細等が、利用者または利用者の属する世帯単位にまとめて表示される。このウェブサイトに、家計簿アプリケーションへの取り込み用のボタンｂｔ２を設ける。この構成により、簡単な操作で、複数の機関の入出金明細を一括して家計簿に取り込むことができる。【選択図】        図４
2005038130.tif 000002
【特許請求の範囲】
【請求項１】
各機関のコンピュータから取り込んだ、各機関を介して支払いのなされた商取引の明細データを、利用者または利用者の属する集団単位にまとめてネットワーク上のウェブページに表示するウェブサーバと、
前記ウェブサーバにアクセスして、所定の利用者についての前記まとめられた明細データを前記ウェブページに表示させる閲覧用クライアントと
を備えるネットワークシステムにおいて、
前記ウェブサーバは、
前記閲覧用クライアントから特定の操作を受け付ける特定操作受付手段と、
前記特定操作受付手段によって前記特定の操作が受け付けられたときに、前記ウェブページに表示されたひとまとめの明細データを、前記閲覧用クライアントに対して送出する明細データ送出手段を備え、
前記閲覧用クライアントは、
操作者の入力操作に従って、前記ウェブサーバに対して前記特定の操作を発する特定操作発行手段と、
前記ウェブサーバから送られてきた前記明細データを受け取る明細データ受取手段と、
外部からの入力データに基づいて家計簿を作成する家計簿作成手段と、
前記受け取った明細データを、前記入力データとして前記家計簿作成手段に引き渡す明細データ引渡手段と
を備えるネットワークシステム。
【請求項２】
前記各機関は、金融機関、クレジット会社、公共サービス会社を少なくとも含むものである請求項１に記載のネットワークシステム。
【請求項３】
前記特定操作受付手段は、前記ウェブページ上に設けられた所定のボタンを備える請求項１または２に記載のネットワークシステム。
【請求項４】
請求項１ないし３のいずれかに記載のネットワークシステムであって、
前記明細データ送出手段は、
前記特定の操作が受け付けられたときに、前記ひとまとめの明細データに含まれる前記機関の契約単位を一覧表示する契約単位表示手段と、
前記閲覧用クライアントからの所定操作に従って、前記一覧表示された契約単位の中から所望のものを、個別または複数まとめて指定する契約単位指定手段と、
前記ウェブページに表示されたひとまとめの明細データから、前記契約単位指定手段により指定された契約単位に該当する明細データを、前記閲覧用クライアントへの送出用として選択する明細データ選択手段と
を備えるネットワークシステム。
【請求項５】
請求項１ないし４のいずれかに記載のネットワークシステムであって、
前記家計簿作成手段は、
銀行口座についての情報を、操作者が付けた登録名称とともに管理する口座管理手段と、
前記明細データ引渡手段により引き渡された明細データに記入された機関が銀行であるときに、該明細データに記入された契約単位としての銀行口座に対応する登録名称を、操作者からの操作指令に基づいて前記口座管理手段から選択することにより、前記銀行口座に前記登録名称を対応づける口座対応づけ手段と
を備えるネットワークシステム。
【請求項６】
各機関のコンピュータから取り込んだ、各機関を介して支払いのなされた商取引の明細データを、利用者または利用者の属する集団単位にまとめてネットワーク上のウェブページに表示するウェブサーバであって、
前記ウェブサーバにアクセスして所定の利用者についての前記まとめられた明細データを前記ウェブページに表示させる閲覧用クライアントから、特定の操作を受け付ける特定操作受付手段と、
前記特定操作受付手段によって前記特定の操作が受け付けられたときに、前記ウェブページに表示されたひとまとめの明細データを、前記閲覧用クライアントに対して送出する明細データ送出手段と
を備えるウェブサーバ。
【請求項７】
前記各機関は、金融機関、クレジット会社、公共サービス会社を少なくとも含むものである請求項６に記載のウェブサーバ。
【請求項８】
前記特定操作受付手段は、前記ウェブページ上に設けられた所定のボタンを備える請求項６または７に記載のウェブサーバ。
【請求項９】
請求項６ないし８のいずれかに記載のウェブサーバであって、
前記明細データ送出手段は、
前記特定の操作が受け付けられたときに、前記ひとまとめの明細データに含まれる前記機関の契約単位を一覧表示する契約単位表示手段と、
前記閲覧用クライアントからの所定操作に従って、前記一覧表示された契約単位の中から所望のものを、個別または複数まとめて指定する契約単位指定手段と、
前記ウェブページに表示されたひとまとめの明細データから、前記契約単位指定手段により指定された契約単位に該当する明細データを、前記閲覧用クライアントへの送出用として選択する明細データ選択手段と
を備えるウェブサーバ。
【請求項１０】
各機関のコンピュータから取り込んだ、各機関を介して支払いのなされた商取引の明細データを、利用者または利用者の属する集団単位にまとめてネットワーク上のウェブページに表示するウェブサーバにアクセスして、所定の利用者についての前記まとめられた明細データを前記ウェブページに表示させる閲覧用クライアントであって、
前記ウェブページに表示されたひとまとめの明細データを前記閲覧用クライアントに対して送出する旨の指令を、操作者の入力操作に従って前記閲覧用クライアントに発する操作指令手段と、
前記指令を受け付けて前記明細データの送出を行なう前記ウェブサーバから、前記送出された明細データを受け取る明細データ受取手段と、
外部からの入力データに基づいて家計簿を作成する家計簿作成手段と、
前記受け取った明細データを、前記入力データとして前記家計簿作成手段に引き渡す明細データ引渡手段と
を備える閲覧用クライアント。
【請求項１１】
前記各機関は、金融機関、クレジット会社、公共サービス会社を少なくとも含むものである請求項１０に記載の閲覧用クライアント。
【請求項１２】
請求項１０または１１に記載の閲覧用クライアントであって、
前記家計簿作成手段は、
銀行口座についての情報を、操作者が付けた登録名称とともに管理する口座管理手段と、
前記明細データ引渡手段により引き渡された明細データに記入された機関が銀行であるときに、該明細データに記入された契約単位としての銀行口座に対応する登録名称を、操作者からの操作指令に基づいて前記口座管理手段から選択することにより、前記銀行口座に前記登録名称を対応づける口座対応づけ手段と
を備えるネットワークシステム。
【請求項１３】
各機関のコンピュータから取り込んだ、各機関を介して支払いのなされた商取引の明細データを、利用者または利用者の属する集団単位にまとめてネットワーク上のウェブページに表示するウェブページ提供方法であって、
（ａ）前記ウェブサーバにアクセスして、所定の利用者についての前記まとめられた明細データを前記ウェブページに表示させる閲覧用クライアントから特定の操作を受け付ける行程と、
（ｂ）前記行程（ａ）によって前記特定の操作が受け付けられたときに、前記ウェブページに表示されたひとまとめの明細データを、前記閲覧用クライアントに対して送出する行程と
を備えるウェブページ提供方法。
【請求項１４】
各機関のコンピュータから取り込んだ、各機関を介して支払いのなされた商取引の明細データを、利用者または利用者の属する集団単位にまとめてネットワーク上のウェブページに表示するウェブサーバにアクセスして、所定の利用者についての前記まとめられた明細データを前記ウェブページに表示させるウェブページ閲覧方法であって、
（ａ）前記ウェブページに表示されたひとまとめの明細データを前記閲覧用クライアントに対して送出する旨の指令を、操作者の入力操作に従って前記閲覧用クライアントに発する行程と、
（ｂ）前記指令を受け付けて前記明細データの送出を行なう前記ウェブサーバから、前記送出された明細データを受け取る行程と、
（ｃ）前記受け取った明細データに基づいて、家計簿を作成する行程と
を備えるウェブページ閲覧方法。
【請求項１５】
各機関のコンピュータから取り込んだ、各機関を介して支払いのなされた商取引の明細データを、利用者または利用者の属する集団単位にまとめてネットワーク上のウェブページに表示するためのコンピュータプログラムであって、
（ａ）前記ウェブサーバにアクセスして、所定の利用者についての前記まとめられた明細データを前記ウェブページに表示させる閲覧用クライアントから特定の操作を受け付ける機能と、
（ｂ）前記機能（ａ）によって前記特定の操作が受け付けられたときに、前記ウェブページに表示されたひとまとめの明細データを、前記閲覧用クライアントに対して送出する機能と
をコンピュータに実現させるためのコンピュータプログラム。
【請求項１６】
各機関のコンピュータから取り込んだ、各機関を介して支払いのなされた商取引の明細データを、利用者または利用者の属する集団単位にまとめてネットワーク上のウェブページに表示するウェブサーバにアクセスして、所定の利用者についての前記まとめられた明細データを前記ウェブページに表示させるためのコンピュータプログラムであって、
（ａ）前記ウェブページに表示されたひとまとめの明細データを前記閲覧用クライアントに対して送出する旨の指令を、操作者の入力操作に従って前記閲覧用クライアントに発する機能と、
（ｂ）前記指令を受け付けて前記明細データの送出を行なう前記ウェブサーバから、前記送出された明細データを受け取る機能と、
（ｃ）前記受け取った明細データに基づいて、家計簿を作成する機能と
をコンピュータに実現させるためのコンピュータプログラム。
【請求項１７】
請求項１５または１６に記載のコンピュータプログラムを記録したコンピュータ読み取り可能な記録媒体。
【発明の詳細な説明】
【０００１】
【発明の属する技術分野】
この発明は、各機関を介して支払いのなされた商取引の明細データをネットワーク上のウェブページから取り込む技術に関する。
【０００２】
【従来の技術】
近年のインターネットの普及に伴い、家庭からパーソナルコンピュータを使ってインターネット経由で銀行などの金融機関のサービスを利用することができる。インターネットバンキングと呼ばれる技術であり、作業者は、ＩＤとパスワードを入力してサービスの提供を受けることができる（例えば、特許文献１参照）
【０００３】
【特許文献１】
特開２００２−１１７２１８号公報
【０００４】
個人が複数の金融機関と取引を行なっている場合、金融機関毎に、ＩＤ、パスワードを入力する必要があり、ＩＤ、パスワードの管理が大変であった。この課題を解消するために、一つのＩＤ、パスワードで、各金融機関の入出金明細等をまとめて表示できるようにした技術がある。アグリゲーションサービスと呼ばれる技術であり、ウェブページを提供するウェブサーバによって実現されている。ウェブサーバは、金融機関のコンピュータから入出金明細を取り込んで、該入出金明細を利用者単位にまとめてウェブページに表示している。
【０００５】
【発明が解決しようとする課題】
パーソナルコンピュータ用の家計簿ソフトウェアが開発されており、この家計簿ソフトウェアで上記ウェブページに表示されている情報を利用しようとする場合、パーソナルコンピュータのディスプレイ画面でカット＆ペーストの作業を一々繰り替えして情報を転送する必要があり、作業性が悪いという問題があった。
【０００６】
この発明は、複数の金融機関の入出金明細を、作業性よく家計簿に取り込むことができるようにすることを目的としている。
【０００７】
【課題を解決するための手段およびその作用・効果】
前述した課題の少なくとも一部を解決するための手段として、以下に示す構成をとった。
【０００８】
この発明のネットワークシステムは、
各機関のコンピュータから取り込んだ、各機関を介して支払いのなされた商取引の明細データを、利用者または利用者の属する集団単位にまとめてネットワーク上のウェブページに表示するウェブサーバと、
前記ウェブサーバにアクセスして、所定の利用者についての前記まとめられた明細データを前記ウェブページに表示させる閲覧用クライアントと
を備えるネットワークシステムにおいて、
前記ウェブサーバは、
前記閲覧用クライアントから特定の操作を受け付ける特定操作受付手段と、
前記特定操作受付手段によって前記特定の操作が受け付けられたときに、前記ウェブページに表示されたひとまとめの明細データを、前記閲覧用クライアントに対して送出する明細データ送出手段を備え、
前記閲覧用クライアントは、
操作者の入力操作に従って、前記ウェブサーバに対して前記特定の操作を発する特定操作発行手段と、
前記ウェブサーバから送られてきた前記明細データを受け取る明細データ受取手段と、
外部からの入力データに基づいて家計簿を作成する家計簿作成手段と、
前記受け取った明細データを、前記入力データとして前記家計簿作成手段に引き渡す明細データ引渡手段と
を備えることを特徴としている。
【０００９】
この構成のネットワークシステムによれば、閲覧用クライアントから特定操作発行手段により特定の操作が発せられると、ウェブサーバはその特定の操作を受け付けて、ウェブページに表示されたひとまとめの明細データを送出する。閲覧用クライアントは、その明細データを受け取って、入力データとして家計簿作成手段に引き渡す。したがって、このネットワークシステムによれば、複数の機関の入出金明細を、作業性よく家計簿に取り込むことができるという効果を奏する。
【００１０】
前記各機関は、金融機関、クレジット会社、公共サービス会社を少なくとも含むものである構成とすることができる。この構成によれば、実社会での多くの種類の明細データを取り込むことができる。
【００１１】
前記特定操作受付手段は、前記ウェブページ上に設けられた所定のボタンを備える構成とすることができる。この構成によれば、操作性が容易であることから、入出金明細をより一層作業性よく取り込むことができる。
【００１２】
前記構成のネットワークシステムにおいて、前記明細データ送出手段は、前記特定の操作が受け付けられたときに、前記ひとまとめの明細データに含まれる前記機関の契約単位を一覧表示する契約単位表示手段と、前記閲覧用クライアントからの所定操作に従って、前記一覧表示された契約単位の中から所望のものを、個別または複数まとめて指定する契約単位指定手段と、前記ウェブページに表示されたひとまとめの明細データから、前記契約単位指定手段により指定された契約単位に該当する明細データを、前記閲覧用クライアントへの送出用として選択する明細データ選択手段とを備える構成とすることができる。
【００１３】
ここで契約単位とは、銀行口座のような、利用者との間の一つの契約の単位である。上記構成のネットワークシステムによれば、一覧表示された契約単位の中から所望のものを、契約単位指定手段により個別または複数まとめて指定するだけで、指定された契約単位に該当する明細データを、前記閲覧用クライアントへの送出用として選択することができる。したがって、契約単位別に簡単な操作で取り込む明細データを選別することができる。
【００１４】
前記ネットワークシステムにおいて、前記家計簿作成手段は、銀行口座についての情報を、操作者が付けた登録名称とともに管理する口座管理手段と、前記明細データ引渡手段により引き渡された明細データに記入された機関が銀行であるときに、該明細データに記入された契約単位としての銀行口座に対応する登録名称を、操作者からの操作指令に基づいて前記口座管理手段から選択することにより、前記銀行口座に前記登録名称を対応づける口座対応づけ手段とを備える構成とすることができる。
【００１５】
家計簿作成手段においては、銀行口座を独自の登録名、例えば、ママ用の銀行である「ママ銀行」とか、長男用の銀行である「長男銀行」で管理を行なうことがあるが、こうした場合に、この登録名が、実際の契約単位のいずれに該当するかを予め対応づける必要がある。上記構成によれば、口座対応づけ手段によりその対応づけを行なうことができることから、家計簿管理との整合性を容易に図ることができる。
【００１６】
この発明のウェブサーバは、
各機関のコンピュータから取り込んだ、各機関を介して支払いのなされた商取引の明細データを、利用者または利用者の属する集団単位にまとめてネットワーク上のウェブページに表示するウェブサーバであって、
前記ウェブサーバにアクセスして所定の利用者についての前記まとめられた明細データを前記ウェブページに表示させる閲覧用クライアントから、特定の操作を受け付ける特定操作受付手段と、
前記特定操作受付手段によって前記特定の操作が受け付けられたときに、前記ウェブページに表示されたひとまとめの明細データを、前記閲覧用クライアントに対して送出する明細データ送出手段と
を備えることを特徴としている。
【００１７】
この構成のウェブサーバによれば、特定操作受付手段により閲覧用クライアントから特定の操作が受け付けられると、ウェブページに表示されたひとまとめの明細データを、閲覧用クライアントに対して送出する。したがって、このウェブサーバによれば、複数の機関の入出金明細を簡単な操作を受けて送出することができるという効果を奏する。
【００１８】
前記各機関は、金融機関、クレジット会社、公共サービス会社を少なくとも含むものとすることができる。この構成によれば、実社会での多くの種類の明細データを取り込むことができる。
【００１９】
前記特定操作受付手段は、前記ウェブページ上に設けられた所定のボタンを備える構成とすることができる。この構成によれば、操作性が容易であることから、入出金明細をより一層作業性よく取り込むことができる。
【００２０】
前記構成のウェブサーバにおいて、前記明細データ送出手段は、前記特定の操作が受け付けられたときに、前記ひとまとめの明細データに含まれる前記機関の契約単位を一覧表示する契約単位表示手段と、前記閲覧用クライアントからの所定操作に従って、前記一覧表示された契約単位の中から所望のものを、個別または複数まとめて指定する契約単位指定手段と、前記ウェブページに表示されたひとまとめの明細データから、前記契約単位指定手段により指定された契約単位に該当する明細データを、前記閲覧用クライアントへの送出用として選択する明細データ選択手段とを備える構成とすることができる。
【００２１】
上記構成のウェブサーバによれば、一覧表示された契約単位の中から所望のものを、契約単位指定手段により個別または複数まとめて指定するだけで、指定された契約単位に該当する明細データを、前記閲覧用クライアントへの送出用として選択することができる。したがって、契約単位別に簡単な操作で取り込む明細データを選別することができる。
【００２２】
この発明の閲覧用クライアントは、
各機関のコンピュータから取り込んだ、各機関を介して支払いのなされた商取引の明細データを、利用者または利用者の属する集団単位にまとめてネットワーク上のウェブページに表示するウェブサーバにアクセスして、所定の利用者についての前記まとめられた明細データを前記ウェブページに表示させる閲覧用クライアントであって、
前記ウェブページに表示されたひとまとめの明細データを前記閲覧用クライアントに対して送出する旨の指令を、操作者の入力操作に従って前記閲覧用クライアントに発する操作指令手段と、
前記指令を受け付けて前記明細データの送出を行なう前記ウェブサーバから、前記送出された明細データを受け取る明細データ受取手段と、
外部からの入力データに基づいて家計簿を作成する家計簿作成手段と、
前記受け取った明細データを、前記入力データとして前記家計簿作成手段に引き渡す明細データ引渡手段と
を備えることを特徴としている。
【００２３】
この構成の閲覧用クライアントによれば、操作指令手段により前記指令が発せられると、ウェブサーバから、ウェブページに表示されたひとまとめの明細データを受け取る。そして、その明細データを入力データとして家計簿作成手段に引き渡す。したがって、このネットワークシステムによれば、複数の機関の入出金明細を、作業性よく家計簿に取り込むことができるという効果を奏する。
【００２４】
前記各機関は、金融機関、クレジット会社、公共サービス会社を少なくとも含むものとすることができる。この構成によれば、実社会での多くの種類の明細データを取り込むことができる。
【００２５】
前記構成の閲覧用クライアントにおいて、  前記家計簿作成手段は、銀行口座についての情報を、操作者が付けた登録名称とともに管理する口座管理手段と、前記明細データ引渡手段により引き渡された明細データに記入された機関が銀行であるときに、該明細データに記入された契約単位としての銀行口座に対応する登録名称を、操作者からの操作指令に基づいて前記口座管理手段から選択することにより、前記銀行口座に前記登録名称を対応づける口座対応づけ手段とを備える構成とすることができる。
【００２６】
この発明のウェブページ提供方法は、
各機関のコンピュータから取り込んだ、各機関を介して支払いのなされた商取引の明細データを、利用者または利用者の属する集団単位にまとめてネットワーク上のウェブページに表示するウェブページ提供方法であって、
（ａ）前記ウェブサーバにアクセスして、所定の利用者についての前記まとめられた明細データを前記ウェブページに表示させる閲覧用クライアントから特定の操作を受け付ける行程と、
（ｂ）前記行程（ａ）によって前記特定の操作が受け付けられたときに、前記ウェブページに表示されたひとまとめの明細データを、前記閲覧用クライアントに対して送出する行程と
を備えることを特徴としている。
【００２７】
この発明の第１のコンピュータプログラムは、
各機関のコンピュータから取り込んだ、各機関を介して支払いのなされた商取引の明細データを、利用者または利用者の属する集団単位にまとめてネットワーク上のウェブページに表示するためのコンピュータプログラムであって、
（ａ）前記ウェブサーバにアクセスして、所定の利用者についての前記まとめられた明細データを前記ウェブページに表示させる閲覧用クライアントから特定の操作を受け付ける機能と、
（ｂ）前記機能（ａ）によって前記特定の操作が受け付けられたときに、前記ウェブページに表示されたひとまとめの明細データを、前記閲覧用クライアントに対して送出する機能と
をコンピュータに実現させるためのコンピュータプログラムである。
【００２８】
上記構成の本発明のウェブページ提供方法と第１のコンピュータプログラムは、本発明の上記ウェブサーバと同様な作用・効果を有しており、複数の機関の入出金明細を簡単な操作を受けて送出することができるという効果を奏する。
【００２９】
この発明のウェブページ閲覧方法は、
各機関のコンピュータから取り込んだ、各機関を介して支払いのなされた商取引の明細データを、利用者または利用者の属する集団単位にまとめてネットワーク上のウェブページに表示するウェブサーバにアクセスして、所定の利用者についての前記まとめられた明細データを前記ウェブページに表示させるウェブページ閲覧方法であって、
（ａ）前記ウェブページに表示されたひとまとめの明細データを前記閲覧用クライアントに対して送出する旨の指令を、操作者の入力操作に従って前記閲覧用クライアントに発する行程と、
（ｂ）前記指令を受け付けて前記明細データの送出を行なう前記ウェブサーバから、前記送出された明細データを受け取る行程と、
（ｃ）前記受け取った明細データに基づいて、家計簿を作成する行程と
を備えることを特徴としている。
【００３０】
この発明の第２のコンピュータプログラムは、
各機関のコンピュータから取り込んだ、各機関を介して支払いのなされた商取引の明細データを、利用者または利用者の属する集団単位にまとめてネットワーク上のウェブページに表示するウェブサーバにアクセスして、所定の利用者についての前記まとめられた明細データを前記ウェブページに表示させるためのコンピュータプログラムであって、
（ａ）前記ウェブページに表示されたひとまとめの明細データを前記閲覧用クライアントに対して送出する旨の指令を、操作者の入力操作に従って前記閲覧用クライアントに発する機能と、
（ｂ）前記指令を受け付けて前記明細データの送出を行なう前記ウェブサーバから、前記送出された明細データを受け取る機能と、
（ｃ）前記受け取った明細データに基づいて、家計簿を作成する機能と
をコンピュータに実現させるためのコンピュータプログラムである。
【００３１】
上記構成の本発明のウェブページ閲覧方法と第２のコンピュータプログラムは、本発明の上記閲覧用クライアントと同様な作用・効果を有しており、複数の機関の入出金明細を、作業性よく家計簿に取り込むことができるという効果を奏する。
【００３２】
この発明の記録媒体は、この発明の第１または第２のコンピュータプログラムを記録したコンピュータ読み取り可能な記録媒体を特徴としている。この記録媒体は、この発明の各コンピュータプログラムと同様な作用・効果を有している。
【００３３】
【発明の他の態様】
この発明は、以下のような他の態様も含んでいる。その第１の態様は、この発明のネットワークシステムにおいて、前記ウェブサーバは、各機関のコンピュータから取り込んだ、各機関を介して支払いのなされた商取引の明細データを、利用者または利用者の属する集団単位にまとめて、メモリ装置に一旦記憶する手段を備え、前記閲覧用クライアントは、前記明細データ受取手段により受け取った明細データを、メモリ装置に一旦記憶する手段を備える構成である。
【００３４】
その第２の態様は、この発明のウェブサーバにおいて、各機関のコンピュータから取り込んだ、各機関を介して支払いのなされた商取引の明細データを、利用者または利用者の属する集団単位にまとめて、メモリ装置に一旦記憶する手段を備える構成である。
【００３５】
その第３の態様は、この発明の閲覧用クライアントにおいて、前記明細データ受取手段により受け取った明細データを、メモリ装置に一旦記憶する手段を備える構成である。
【００３６】
その第４の態様は、この発明の第１または第２のコンピュータプログラムを通信経路を介して供給するプログラム供給装置としての態様である。この第４の態様では、コンピュータプログラムをコンピュータネットワーク上のサーバなどに置き、通信経路を介して、必要なプログラムをコンピュータにダウンロードし、これを実行することで、上記の装置や方法を実現することができる。
【００３７】
【発明の実施の形態】
以上説明したこの発明の構成・作用を一層明らかにするために、以下この発明の実施の形態を実施例に基づき説明する。なお、この説明は、以下の項目に分けて行なわれる。
Ａ．システム全体の構成
Ｂ．アグリゲーション用のウェブサイトの詳細
Ｃ．閲覧用クライアントの詳細
Ｄ．作用効果
Ｅ．変形例
【００３８】
Ａ．システム全体の構成：
この一実施例のネットワークシステムは、インターネットを利用したものである。図１は、一実施例としてのネットワークシステムの全体構成を示す説明図である。図示するように、本実施例のネットワークシステムでは、任意のパーソナルコンピュータ（以下、パソコンと呼ぶ）１０と、各機関のウェブサーバ２０、２１，２２，２３，…と、アグリゲーション用のウェブサーバ３０とがインターネット４０を介して相互に接続されている。
【００３９】
パソコン１０は、ＣＰＵ、ＲＯＭ、ＲＡＭ、ハードディスクドライブ（ＨＤＤ）、ネットワーク制御回路等を備える周知のコンピュータから構成されるもので、周辺装置であるＣＲＴディスプレイ（以下、単にディスプレイと呼ぶ）１１とキーボード１２とマウス１３が接続されている。このＨＤＤには、ウェブブラウザのコンピュータプログラムが格納されている。パソコン１０は、そのウェブブラウザのコンピュータプログラムを実行して、そのウェブブラウザからＵＲＬを指定することで、上記ウェブサーバ２０、２１，２２，２３，…，３０にアクセスする。すなわち、パソコン１０は、特許請求の範囲に記載された閲覧用クライアントに該当する。
【００４０】
ウェブサーバ２０、２１，２２，２３，…は、ＣＰＵ、ＲＯＭ、ＲＡＭ、ハードディスクドライブ（ＨＤＤ）、ネットワーク制御回路等を備える周知のコンピュータから構成されるもので、各機関のウェブサイトをそれぞれ提供する。各機関としては、銀行、信用金庫等の金融機関や、信販会社、メーカー割賦会社等のクレジット会社や、電気、水道、電話等の公共サービス会社等がある。各機関は、一家の収入・支出などの家計費を示すデータを提供できる組織であればどのようなものでもよい。
【００４１】
ウェブサイトは、ＨＴＭＬ（Ｈｙｐｅｒ  Ｔｅｘｔ  Ｍａｒｋｕｐ  Ｌａｎｇｕａｇｅ）を用いた表示用のデータとして提供され、各機関の入出金の明細データの照会を可能としている。利用者は、パソコン１０を使って上記ウェブサイトにアクセスして、各機関専用のＩＤとパスワードを入力することで、自身についての各機関での支払いのなされた商取引の明細データ（銀行にあっては、入出金の銀行明細であり、クレジット会社にあっては、カード明細であり、公共サービス会社にあっては、利用料金明細である）を個別に照会する。なお、複数の機関にアクセスしようとする場合は、利用者は、各ウェブサイトに個別にアクセスして、ＩＤとパスワードを個別に入力する必要がある。
【００４２】
アグリゲーション用のウェブサーバ３０は、ＣＰＵ、ＲＯＭ、ＲＡＭ、ハードディスクドライブ（ＨＤＤ）、ネットワーク制御回路等を備える周知のコンピュータから構成されるもので、上記各明細を世帯単位でまとめた一覧表を表示する所定のウェブサイトを提供する。このウェブサーバ３０は、利用者からのアクセスがあると、ウェブサーバ２０、２１，２２，２３，…から、このアクセスがあった利用者の世帯についての前記明細データを順に取り込んで、その明細データを一つにまとめて、ウェブサイトに表示する。なお、この一つにまとめられた明細データはＲＡＭ（メモリ装置）に一旦格納され、その上でウェブサイトに表示される。利用者は、パソコン１０を使って上記ウェブサイトにアクセスして、一組のＩＤとパスワードを入力することで、自身の属する世帯についての各機関での入出金の明細データを一括して照会することができる。
【００４３】
Ｂ．アグリゲーション用のウェブサイトの詳細
アグリゲーション用のウェブサーバ３０が提供するウェブサイトについて詳述する。図２は、そのウェブサイトのいちばん最初の画面（トップページ）ＰＧ１を示す説明図である。図示するように、トップページＰＧ１には、「○○○アグリゲーション」というようなタイトルｔｔが記載され、ユーザーＩＤとパスワードの入力用のフィールドｆｄ１，ｆｄ２が設けられている。フィールドｆｄ１，ｆｄ２から入力するＩＤとパスワードは、○○○アグリゲーション専用のＩＤとパスワードである。
【００４４】
なお、初めて○○○アグリゲーションのサービスを利用する利用者は、予め会員登録をしておく必要がある。利用者は会員登録時に、○○○アグリゲーション専用となるＩＤを入力してパスワードの供給を受けるとともに、明細データの照会を希望する金融機関、クレジット会社、公共サービス会社の名前とＩＤとパスワード（上記ウェブサーバ２０、２１，２２，２３の提供するウェブサイトにアクセスするときに必要となる各機関専用のＩＤとパスワード）の入力も行なう。上記照会を希望する機関、すなわち、金融機関、クレジット会社、公共サービス会社は、ここでは利用者の属する世帯についての機関が入力されるものとする。なお、世帯に必ずしも限る必要はなく、利用者の属する集団単位であればどのようなものでもよい。あるいは利用者単独についての機関であってもよい。
【００４５】
図３は、アグリゲーション用のウェブサーバ３０に記憶される会員登録者テーブルＴＢＬを示す説明図である。図示するように、会員登録者テーブルＴＢＬには、１レコード（図中の１行）毎に、１人の会員についての情報が記憶されている。各レコードには、「氏名」、「住所」、「ＩＤ」、「パスワード」のデータが記憶されている。上記「ＩＤ」、「パスワード」は、○○○アグリゲーション専用のものである。さらに、各レコードには、明細データの照会を希望した機関についての「契約単位情報」と「ＩＤ」と「パスワード」が複数組記憶されている。契約単位情報は、機関の契約単位についての情報であり、銀行、信用金庫等の金融機関にあっては、名称（銀行名、信用金庫名）、支店名、口座番号であり、クレジット会社にあっては、カード名であり、公共サービス会社にあっては、会社名である。
【００４６】
図２に戻って、利用者は、ユーザーＩＤとパスワードの入力用のフィールドｆｄ１，ｆｄ２から、上記登録されたＩＤとパスワードを、キーボード１２、マウス１３を操作して入力する。その後、利用者は、「ログイン」のボタンｂｔ１をマウス１３を操作してクリックする。アグリゲーション用のウェブサーバ３０は、上記入力されたＩＤとパスワードを上記会員登録者テーブルＴＢＬと照合して、一致すれば、ウェブサイトの画面を次のページに移行する。
【００４７】
図４は、アグリゲーション用のウェブサーバ３０で提供されるウェブサイトのメインページＰＧ２を示す説明図である。メインページＰＧ２は、上記ＩＤとパスワードが一致して移行するページである。図示するように、メインページＰＧ２には、「○○○アグリゲーション」というようなタイトルｔｔと、照会を希望した機関についての明細データｄｔが一覧表示されている。明細データｄｔは、銀行における口座別の入出金の銀行明細や、クレジット会社における契約者別のカード明細や、公共サービス会社における契約者別の利用料金明細を含む。
【００４８】
アグリゲーション用のウェブサーバ３０は、会員登録者テーブルＴＢＬから、トップページＰＧ１から入力されたＩＤとパスワードに対応する機関についての「契約単位情報」、「ＩＤ」、「パスワード」を一組読み出して、その「契約単位情報」の機関のウェブサーバ２０（あるいは２１，２２，２３，…）に対して、上記ＩＤとパスワードを用いて自動的にログインし、その契約単位についての明細データを自動的に取り込む。次いで、アグリゲーション用のウェブサーバ３０は、上記ＩＤとパスワードに対応する次の機関についての「契約単位情報」、「ＩＤ」、「パスワード」を一組読み込み、上記のようにして、次のウェブサーバ２１（あるいは、２０，２２，２３，…）から、その契約単位の明細データを自動的に取り込む。このようにして、アグリゲーション用のウェブサーバ３０は、そのＩＤの契約者についての会員登録時に登録した全ての契約単位の明細データを取り込むことができる。この取り込んだ結果を、上記明細データｄｔとしてメインページＰＧ２に一覧表示する。
【００４９】
また、メインページＰＧ２には、家計簿アプリケーションへの取り込みを指示するボタンｂｔ２が設けられている。操作者は、メインページＰＧ２に一覧表示された明細データｄｔを、パソコン１０にインストールされた家計簿アプリケーションに取り込みたいときに、上記ボタンｂｔ２をマウス１３を操作してクリックする。アグリゲーション用のウェブサーバ３０は、上記ボタンｂｔ２のクリックがなされると、ウェブサイトの画面を次のページに移行する。
【００５０】
図５は、その移行後のページ（サブページ）ＰＧ３を示す説明図である。サブページＰＧ３は、取り込みの明細データを選択するための画面である。図示するように、サブページＰＧ３には、メインページＰＧ２に一覧表示された明細データｄｔに含まれる機関の契約単位情報が一覧表示される。これらの契約単位情報は、金融機関、クレジット会社、公共サービス会社によってグループ化されて表示されている。
【００５１】
すなわち、サブページＰＧ３には、金融機関についての契約単位情報を一覧表示する第１欄Ｆ１と、クレジット会社についての契約単位情報を一覧表示する第２欄Ｆ２と、公共サービス会社についての契約単位情報を一覧表示する第３欄Ｆ３とが設けられており、第１欄Ｆ１には、「名称」、「支店名」、「口座番号」の各情報が、契約単位毎に改行して表示され、第２欄Ｆ２には、「カード名」が契約単位毎に改行して表示され、第３欄Ｆ３には、「会社名」が契約単位毎に改行して表示される。
【００５２】
なお、第１ないし第３欄Ｆ１〜Ｆ３の各行の右端には、「取り込む」と記載されたボタンｂｔ３が設けられており、さらに、第１ないし第３欄Ｆ１〜Ｆ３の最下部には、「全て取り込む」と記載されたボタンｂｔ４が設けられている。
【００５３】
操作者は、こうした構成のサブページＰＧ３を見て、家計簿アプリケーションに明細データを取り込みたい契約単位情報についての「取り込む」のボタンｂｔ３を、マウス１３を用いてクリックする。これは一つの契約単位を指定する場合のことであり、金融機関、クレジット会社、公共サービス会社の各範囲で一括して契約単位を指定したい場合は、該当する欄Ｆ１〜Ｆ３に設けられた「全て取り込む」のボタンｂｔ４を、マウス１３用いてクリックする。
【００５４】
「取り込む」のボタンｂｔ３または「全て取り込む」のボタンｂｔ４がクリックされると、アグリゲーション用のウェブサーバ３０は、メインページＰＧ２の表示の際にウェブサーバ２０，２１，２２，２３，…から取り込んだ明細データの中から、上記契約単位に該当するものを個別または一括して抽出して、パソコン１０に送出する。
【００５５】
上述した明細データの送出処理について、図６のフローチャートに沿って詳述する。この明細データ送出処理は、アグリゲーション用のウェブサーバ３０のＣＰＵによって、所定時間毎に繰り返し実行される。図示するように、ＣＰＵは、処理が開始されると、まず、「取り込む」のボタンｂｔ３がクリックされたか否かを判別する（ステップＳ１００）。ここで、クリックされたと判別された場合には、ＣＰＵは、メインページＰＧ２の表示の際にウェブサーバ２０，２１，２２，２３，…から取り込んだ明細データの中から、そのクリックされたボタンｂｔ３の左側に記載された契約単位に該当する明細分を抽出する処理を行なう（ステップＳ１１０）。
【００５６】
その後、ＣＰＵは、上記クリックされたボタンｂｔ３の左側に記載された契約単位情報と、ステップＳ１１０で抽出された明細データを送出する処理を行なう（ステップＳ１２０）。ステップＳ１２０の実行後、「リターン」に抜けてこの処理ルーチンを一旦終了する。
【００５７】
一方、ステップＳ１００で、否定判別されたときには、ステップＳ１３０に処理を進めて、「全て取り込む」のボタンｂｔ４がクリックされたか否かを判別する。ここで、クリックされたと判別された場合には、ＣＰＵは、メインページＰＧ２の表示の際にウェブサーバ２０，２１，２２，２３，…から取り込んだ明細データの中から、そのクリックされたボタンｂｔ４が設けられた欄（第１ないし第３欄Ｆ１〜Ｆ３のうちのいずれかの欄）に記載された契約単位に該当する明細分を順に抽出する処理を行なう（ステップＳ１４０）。
【００５８】
その後、ＣＰＵは、ステップＳ１４０で抽出された明細データを契約単位毎に分けて、契約単位情報と明細データを組にして各組を順に送出する処理を行なう（ステップＳ１５０）。ステップＳ１５０の実行後、「リターン」に抜けてこの処理ルーチンを一旦終了する。
【００５９】
ＣＰＵと、このＣＰＵによって実行される上記明細データ送出処理により、図１に示すように、アグリゲーション用のウェブサーバ３０内に、特定操作受付部３０ａと明細データ送出部３０ｂとが機能的に構成されることになる。
【００６０】
Ｃ．閲覧用クライアントの詳細：
アグリゲーション用のウェブサーバ３０で送出された明細データは、パソコン１０によって受け取って、家計簿アプリケーションプログラムで作成される家計簿に引き渡される。図１に示すように、パソコン１０内には、機能的に、特定操作発行部１０ａ、明細データ受取部１０ｂ、家計簿作成部１０ｃ、明細データ引渡部１０ｄを備える。特定操作発行部１０ａは、マウス１３により、「取り込む」のボタンｂｔ３または「全て取り込む」のボタンｂｔ４をクリックする操作を発行するものである。明細データ受取部１０ｂは、アグリゲーション用のウェブサーバ３０から送られてくる明細データを受け取るものである。なお、この受け取った明細データは、パソコン１０に備えられたＲＡＭ（メモリ装置）に一旦格納される。家計簿作成部１０ｃは、外部からの入力データに基づいて家計簿を作成するもので、明細データ引渡部１０ｄは、明細データ受取部１０ｂで受け取った上記ＲＡＭに格納された明細データを、入力データとして家計簿作成部１０ｃに引き渡す。家計簿作成部１０ｃ、明細データ引渡部１０ｄは、パソコン１０にインストールされた家計簿アプリケーションプログラムによって実現される。
【００６１】
図７は、「取り込む」のボタンｂｔ３がクリックされた場合に家計簿アプリケーションプログラムによって表示される明細取込用ダイアログボックスＤＢ１の一例を示す説明図である。クリックされたボタンｂｔ３が銀行についてのものである場合、この図７に示す明細取込用ダイアログボックスＤＢ１となる。図示するように、明細取込用ダイアログボックスＤＢ１には、契約単位情報を示すフィールドｆｄ３と、明細データを示すフィールドｆｄ４とが設けられている。
【００６２】
フィールドｆｄ３には、アグリゲーション用のウェブサーバ３０から受け取った契約単位情報が表示される。フィールドｆｄ４には、「登録」、「日付」、「項目」、「内訳」、「預入」、「支払」、「差引残高」、「メモ」といった項目が設けられており、「日付」から「メモ」の項目に、アグリゲーション用のウェブサーバ３０から受け取った明細データが表示される。「登録」の項目は、デフォルトとして二重丸が表示されるが、利用者が家計簿への取り込みが不要であると判断した明細については、クリックすることにより二重丸を消すことで、取り込みの対象外とすることができる。
【００６３】
なお、ディスプレイ１１の画面には、この明細取込用ダイアログボックスＤＢ１の表示とともに、「銀行明細対応口座選択」のダイアログボックスＤＢ２が表示される。家計簿アプリケーションプログラムでは、銀行口座を独自の銀行名（登録名）、例えば、ママ用の銀行である「ママ銀行」とか、長男用の銀行である「長男銀行」で管理を行なっているが、この銀行名が、実際の契約単位のいずれに該当するかを予め対応づける必要がある。この対応づけを行なうためのインターフェースが、「銀行明細対応口座選択」のダイアログボックスＤＢ２である。
【００６４】
「銀行明細対応口座選択」のダイアログボックスＤＢ２には、「銀行名」、「支店番号」、「口座番号」の各表示フィールドｆｄ１１〜ｆｄ１３が設けられており、さらには、上記独自の銀行名の入力フィールドｆｄ１４が設けられている。各表示フィールドｆｄ１１〜ｆｄ１３は、アグリゲーション用のウェブサーバ３０から取り込んだ契約単位情報に基づいて表示される。入力フィールドｆｄ１４は、操作者によるマウス１３の操作により、プルダウンメニューにより表示される選択肢の中から所望の独自の銀行名が選択的に入力される。プルダウンメニューに未登録の場合には、［追加］ボタンｂｔ１１をクリックして図示しない口座追加画面を開いて、その口座画面から口座の追加を行なう。
【００６５】
なお、「銀行明細対応口座選択」のダイアログボックスＤＢ２は、実際の口座に対して一度上記独自の銀行名の対応づけがなされると、以後はこのダイアログボックスＤＢ２は表示されることはない。
【００６６】
明細取込用ダイアログボックスＤＢ１の右下に設けられた［決定］ボタンｂｔ１２がクリックされると、この明細取込用ダイアログボックスＤＢ１に表示された明細データが、家計簿アプリケーションプログラムで管理される家計簿に引き渡される。
【００６７】
図８は、「全て取り込む」のボタンｂｔ４がクリックされた場合の動作を示す説明図である。図示するように、ボタンｂｔ４がクリックされた場合、ボタンｂｔ４が設けられた欄（第１ないし第３欄Ｆ１〜Ｆ３のうちのいずれかの欄）に記載された契約単位情報の数に対応するアカウント数だけ、明細取込用ダイアログボックスＤＢ１が切り換えて表示される。すなわち、前述した明細データ送出処理のステップＳ１５０によってアグリゲーション用のウェブサーバ３０から送られてくる契約単位と明細データの組毎に、明細取込用ダイアログボックスＤＢ１の表示を順に行ない、各明細取込用ダイアログボックスＤＢ１に対して、図７を用いて説明した「取り込む」のボタンｂｔ３がクリックされた場合と同様の操作を行なう。明細取込用ダイアログボックスＤＢ１で［決定］ボタンｂｔ１２がクリックされると、次の契約単位の明細データを用いて、新たな明細取込用ダイアログボックスＤＢ１の表示を行なう。上記アカウント数の繰り返しが終了すると、「全て取り込む」のボタンｂｔ４で指示された一括取り込みの作業が終了する。
【００６８】
図７で示した明細取込用ダイアログボックスＤＢ１および「銀行明細対応口座選択」のダイアログボックスＤＢ２は、金融機関についての契約単位情報を一覧表示する第１欄Ｆ１において「取り込む」のボタンｂｔ３がクリックされた場合についてのものであるが、これに替えて、クレジット会社についての契約単位情報を一覧表示する第２欄Ｆ２においてボタンｂｔ３がクリックされた場合にも、同様の明細取込用ダイアログボックスおよび「銀行明細対応口座選択」のダイアログボックスが表示される。一方、公共サービス会社についての契約単位情報を一覧表示する第３欄Ｆ３においてボタンｂｔ３がクリックされた場合には、明細取込用ダイアログボックスおよび「銀行明細対応口座選択」のダイアログボックスが他のものに変わる。
【００６９】
図９は、公共サービス会社についての第３欄Ｆ３においてボタンｂｔ３がクリックされた場合に表示される明細取込用ダイアログボックスＤＢ３および「引落口座選択」のダイアログボックスＤＢ４を示す説明図である。「引落口座選択」のダイアログボックスＤＢ４は、「銀行明細対応口座選択」のダイアログボックスＤＢ２に変わるものである。図示するように、明細取込用ダイアログボックスＤＢ３には、公共サービス会社から郵送で送られてくるものと同様のデザインである利用料金明細（ご利用料金内訳書）が表示される。「引落口座選択」のダイアログボックスＤＢ４には、「引落日」と「引落口座」の入力フィールドｆｄ２１，ｆｄ２２が設けられている。「引落口座選択」のダイアログボックスＤＢ４は、引き落とし口座確認のために、利用者に上記入力フィールドｆｄ２１，ｆｄ２２からの入力を促すものである。
【００７０】
なお、「引落口座選択」のダイアログボックスＤＢ４は、公共サービス会社の契約単位に一度対応づけの設定がなれると、以後はこのダイアログボックスＤＢ４は表示されることはない。
【００７１】
次に、上述した明細データを受け取って家計簿に引き渡す一連の処理（以下、明細データ取込処理と呼ぶ）について図１０のフローチャートに沿って詳述する。この明細データ送出処理は、パソコン１０のＣＰＵによって、所定時間毎に繰り返し実行される。図示するように、ＣＰＵは、処理が開始されると、まず、アグリゲーション用のウェブサーバ３０で送出された契約単位情報と明細データの組を一つ受け取る処理を行なう（ステップＳ２００）。この契約単位情報と明細データの組は、前述したステップＳ１１０またはＳ１５０で送出されたものである。
【００７２】
次いで、ＣＰＵは、ステップＳ２００で受け取った契約単位情報が公共サービス会社のものであるか否かを判別して（ステップＳ２１０）、ここで公共サービス会社でない、すなわち、金融機関またはクレジット会社であると判別された場合には、ステップＳ２２０に処理を進める。
【００７３】
ステップＳ２２０では、ＣＰＵは、図７で示した明細取込用ダイアログボックスＤＢ１をディスプレイ１１に表示する。次いで、ＣＰＵは、その契約単位情報が、家計簿用の銀行名と既に関連づけがなされているか否かを判別して（ステップＳ２３０）、関連づけがなされていないと判別された場合には、図７で示した「銀行明細対応口座選択」のダイアログボックスＤＢ２をディスプレイ１１に表示して（ステップＳ２４０）、そのダイアログボックスＤＢ２からのマウス１３を用いた入力処理を行なう（ステップＳ２５０）。ステップＳ２５０の実行後、ステップＳ３００に進む。一方、ステップＳ２３０で、関連づけがなされていると判別された場合には、ＣＰＵは、ステップＳ２４０，Ｓ２５０を実行することなく、ステップＳ３００に処理を進める。
【００７４】
ＣＰＵは、ステップＳ２１０で、契約単位情報が公共サービス会社であると判別された場合には、ステップＳ２６０に処理を進める。ステップＳ２６０では、図９で示した明細取込用ダイアログボックスＤＢ３をディスプレイ１１に表示する。次いで、ＣＰＵは、その契約単位情報が、引き落とし情報と関連づけがなされているか否かを判別して（ステップＳ２７０）、関連づけがなされていないと判別された場合には、図９で示した「引落口座選択」のダイアログボックスＤＢ４を表示して（ステップＳ２８０）、そのダイアログボックスＤＢ４からのマウス１３を用いた入力処理を行なう（ステップＳ２９０）。ステップＳ２９０の実行後、ステップＳ３００に進む。一方、ステップＳ２７０で、関連づけがなされていると辺別された場合には、ＣＰＵは、ステップＳ２８０およびＳ２９０を実行することなく、ステップＳ３００に処理を進める。
【００７５】
ＣＰＵは、ステップＳ３００で、明細取込用ダイアログボックスＤＢ１またはＤＢ３に表示された明細データを家計簿ファイルへ引き渡す処理を行なう。その後、アグリゲーション用のウェブサーバ３０から送出された契約単位情報と明細データの次の組があるか否かを判別して（ステップＳ３１０）、ここであると判別された場合には、ステップＳ２００に処理を戻して、新たな契約単位情報と明細データの組について、ステップＳ２００ないしＳ３００の処理を繰り返し実行する。一方、ステップＳ３１０で、否定判別された場合には、「リターン」に抜けてこの処理ルーチンを一旦終了する。
【００７６】
上記構成の明細データ取込処理において、ステップＳ２００が前記明細データ受取部１０ｂに対応し、ステップＳ３００が前記明細データ引渡部１０ｄに対応する。家計簿作成部１０ｃは、ステップＳ３００で用いた家計簿ファイルを作成するもので、利用者による入力画面からのキー入力を受けて家計簿ファイルを作成している。家計簿作成部１０ｃの詳細な説明については省略する。
【００７７】
Ｄ．作用効果：
以上のように構成されたこの一実施例によれば、アグリゲーション用のウェブサーバ３０の提供するウェブサイトに設けられた、家計簿アプリケーションへの取り込み用のボタンｂｔ２をクリックするだけという簡単な操作で、複数の金融機関の入出金明細を一括して家計簿に取り込むことができる。
【００７８】
また、この実施例では、ボタンｂｔ２をクリックしたら、即座にパソコン１０にダウンロードするのではなく、一旦、取り込みの明細データを選択するためのサブページＰＧ３を表示して、契約単位別に取り込む明細データを選別することができる。さらに、金融機関、クレジット会社、公共サービス会社の各範囲というカテゴリー別に一括して明細データを取り込むことができる。これらによって操作性よく所望の明細データを家計簿に取り込むことができる。
【００７９】
Ｅ．変形例
前記実施例の変形例について次に説明する。
（１）前記実施例では、特定操作受付手段で受け付ける特定の操作として、アグリゲーション用のウェブサイトに設けたボタンｂｔ２がマウス操作によりクリックされることであったが、これに換えて、キーボード１２から特定の命令がキーインされた操作であってもよい。あるいは、キーボード１２に設けられた特定のキースイッチが押下された操作であってもよい。
【００８０】
（２）前記実施例では、明細データを取り込む機関は、金融機関、クレジット会社、公共サービス会社であったが、他の機関を含むものとすることができる。あるいは、金融機関、クレジット会社、公共サービス会社のうちのいずれか１つまたは２つが欠けたものとすることもできる。
【００８１】
（３）前記実施例では、取り込みの明細データを選択するためのサブページＰＧ３に掲載する機関の契約単位情報を、メインページＰＧ２に一覧表示された明細データｄｔから取り出す構成としていたが、これに換えて、会員登録者テーブルＴＢＬから取り出す構成としてもよい。すなわち、トップページＰＧ１から入力したＩＤによって特定される「契約単位情報」を会員登録者テーブルＴＢＬから抽出して、そのままサブページＰＧ３に表示する構成としてもよい。この構成によっても、メインページＰＧ２に一覧表示された明細データｄｔから取り出すことのできる契約単位情報を漏らすことなく表示することができる。
【００８２】
（４）前期実施例では、取り込みの明細データを選択するためのサブページＰＧ３は、アグリゲーション用のウェブサーバ３０によって提供されていたが、これに換えて、パソコン１０にインストールされた家計簿アプリケーションプログラムによって生成される構成とすることができる。パソコン１０は、家計簿アプリケーションプログラムに従って上記サブページＰＧ３を表示して、そのサブページＰＧ３から指示される個別または複数まとめた契約単位についての明細データをアグリゲーション用のウェブサーバ３０に対して送出するように命令して、それら明細データを受け取るようにすればよい。操作者にとっては、上記サブページＰＧ３が、アグリゲーション用のウェブサーバ３０によるものであっても、パソコン１０によるものであっても見た目は変わることはない。
【００８３】
（５）前記実施例では、サブページＰＧ３を用いて、明細データを契約単位別か、もしくは金融機関、クレジット会社、公共サービス会社の各範囲というカテゴリー別に一括して取り込むように選択していたが、これに換えて、さらに、金融機関、クレジット会社、公共サービス会社の各範囲をまとめて一度に全て取り込むことができる選択肢を用意する構成とすることもできる。
【００８４】
以上、本発明の一実施例およびその変形例を詳述してきたが、本発明は、こうした実施例に何等限定されるものではなく、本発明の要旨を逸脱しない範囲において種々なる態様にて実施することができるのは勿論のことである。
【図面の簡単な説明】
【図１】一実施例としてのネットワークシステムの全体構成を示す説明図である。
【図２】アグリゲーション用のウェブサーバ３０で提供されるウェブサイトのトップページＰＧ１を示す説明図である。
【図３】会員登録者テーブルＴＢＬを示す説明図である。
【図４】前記ウェブサイトのメインページＰＧ２を示す説明図である。
【図５】前記ウェブサイトのサブページＰＧ３を示す説明図である。
【図６】アグリゲーション用のウェブサーバ３０にて実行される明細データ送出処理を示すフローチャートである。
【図７】「取り込む」のボタンｂｔ３がクリックされた場合に表示される明細取込用ダイアログボックスＤＢ１と「銀行明細対応口座選択」のダイアログボックスＤＢ２を示す説明図である。
【図８】「全て取り込む」のボタンｂｔ４がクリックされた場合の動作を示す説明図である。
【図９】公共サービス会社についての明細取込用ダイアログボックスＤＢ３および「引落口座選択」のダイアログボックスＤＢ４を示す説明図である。
【図１０】パソコン１０にて実行される明細データ取込処理を示すフローチャートである。
【符号の説明】
１０…パソコン
１０ａ…特定操作発行部
１０ｂ…明細データ受取部
１０ｃ…家計簿作成部
１０ｄ…明細データ引渡部
１１…ディスプレイ
１２…キーボード
１３…マウス
２０，２１，２２，２３…ウェブサーバ
３０…アグリゲーション用のウェブサーバ
３０ａ…特定操作受付部
３０ｂ…明細データ送出部
４０…インターネット
ＰＧ…メインページ
ＰＧ１…トップページ
ＰＧ２…メインページ
ＴＢＬ…会員登録者テーブル
ｂｔ２…家計簿アプリケーションへの取り込み用のボタン
ＤＢ１…明細取込用ダイアログボックス
ＤＢ２…「銀行明細対応口座選択」のダイアログボックス
ＤＢ３…明細取込用ダイアログボックス
ＤＢ４…「引落口座選択」のダイアログボックス
【図１】
2005038130.tif 000003
【図２】
2005038130.tif 000004
【図３】
2005038130.tif 000005
【図４】
2005038130.tif 000006
【図５】
2005038130.tif 000007
【図６】
2005038130.tif 000008
【図７】
2005038130.tif 000009
【図８】
2005038130.tif 000010
【図９】
2005038130.tif 000011
【図１０】
2005038130.tif 000012